(57)【特許請求の範囲】
【請求項１】
音及び電気信号の一方を他方に変換する変換部と、
開口部、前記開口部及び前記変換部を連通させる経路部、前記経路部から分岐し前記経路部内に浸入した水を溜める貯留部、を画定し、前記開口部の軸からずれた位置に配置された前記変換部を内蔵した筐体と、を備え、
前記開口部の軸が水平方向に沿い、かつ前記開口部が前記変換部より鉛直上方側に位置するように前記筐体を保持した場合、前記変換部は前記貯留部より鉛直上方側に位置する携帯端末装置。
【請求項２】
前記経路部は、前記変換部から前記開口部にかけて、前記水平方向及び鉛直上方向に延びる請求項１の携帯端末装置。
【請求項３】
前記筐体は、ケース、前記ケースに保持された板金、前記板金に保持されたタッチパネル、前記板金と前記タッチパネルとの間に貼り付けられた両面テープ、を含み、
前記開口部は、前記タッチパネルと前記ケースとにより画定され、
前記経路部及び貯留部は、前記板金と前記タッチパネルと前記両面テープにより画定されている、請求項１又は２の携帯端末装置。
【発明の詳細な説明】
【技術分野】
【０００１】
本発明は、携帯端末装置に関する。
【背景技術】
【０００２】
音を電気信号に変換するマイク、電気信号を音に変換するレシーバの少なくとも一つを内蔵した筐体を備えた携帯端末装置が知られている。筐体には、マイク又はレシーバへ通じる開口部が形成されている。開口部は、開口部の軸心がマイクやレシーバと重なる位置に設定される。特許文献１には、このような携帯端末装置の関連技術が開示されている。
【先行技術文献】
【特許文献】
【０００３】
【特許文献１】特開２００４−５６１６５号公報
【発明の概要】
【発明が解決しようとする課題】
【０００４】
しかしながら筺体のデザイン性を考慮して開口部をマイクやレシーバから離れた位置に設定することが考えられる。この場合、開口部からマイク又はレシーバへに至る経路部内に水が浸入すると、水が経路部内に溜まる恐れがある。経路部内に水が溜まると、音響特性に影響を与えるおそれがある。
【０００５】
本発明は、水が筐体内に侵入したことに伴う音響特性への影響を抑制した携帯端末装置を提供することを目的とする。
【課題を解決するための手段】
【０００６】
本明細書に開示の携帯端末装置は、音及び電気信号の一方を他方に変換する変換部と、開口部、前記開口部及び前記変換部を連通させる経路部、前記経路部から分岐し前記経路部内に浸入した水を溜める貯留部、を画定し、前記開口部の軸からずれた位置に配置された前記変換部を内蔵した筐体と、を備え、前記開口部の軸が水平方向に沿い、かつ前記開口部が前記変換部より鉛直上方側に位置するように前記筐体を保持した場合、前記変換部は前記貯留部より鉛直上方側に位置する。
【発明の効果】
【０００７】
水が筐体内に侵入したことに伴う音響特性への影響を抑制した携帯端末装置を提供できる。
【図面の簡単な説明】
【０００８】
【図１】図１Ａ、１Ｂは、本実施例の携帯電話の説明図である。
【図２】図２は、筐体にタッチパネルを取付ける前の携帯電話の斜視図である。
【図３】図３は、筐体にタッチパネルを取付ける前の携帯電話の正面図である。
【図４】図４は、図３のＡ−Ａ断面図である。
【図５】図５は、図３のＢ−Ｂ断面図である。
【図６】図６Ａ、６Ｂは、経路内に水が浸入した場合の説明図である。
【図７】図７Ａ、７Ｂは、経路内に水が浸入した場合の説明図である。
【図８】図８は、経路内にある水を貯留部に移動させるための操作の説明図である。
【図９】図９Ａ、９Ｂは、本実施例の携帯電話とは構造が異なる携帯電話の説明図である。
【発明を実施するための形態】
【０００９】
携帯端末装置の一例として、携帯電話について説明する。
図１Ａ、１Ｂは、携帯電話１の説明図である。
図１Ａに示すように、携帯電話１は、スライド可能に連結された筐体１０、２０を含む。図１Ａは、筐体１０、２０が閉じた閉状態の携帯電話１を示している。筐体１０は、フロントケース１１、リアケース１２を含む。筐体２０は、フロントケース２１、リアケース２２を含む。筐体１０のフロントケース１１には、不図示の操作キーが複数設けられている。筐体１０に対して筐体２０がスライドすることにより、筐体１０のフロントケース１１に設けられた操作キーが露出する。フロントケース２１にはタッチパネル３０が設けられている。タッチパネル３０は、静電容量式または抵抗膜式である。詳しくは後述するが、筐体２０にはレシーバが内蔵されている。筐体１０には、マイクが内蔵されている。
【００１０】
図１Ｂは、筐体２０にタッチパネル３０を取付ける前の携帯電話１の図である。
図１Ｂに示すように、フロントケース２１は枠状であり、略矩形状の開口部２３を有している。フロントケース２１には、支持板５０が組み付けられている。支持板５０は金属製であり枠状であり、略矩形状の開口部５３を有している。支持板５０の背面側には画像を表示する液晶ディスプレイ７０が配置される。
【００１１】
支持板５０の正面側には、タッチパネル３０が配置される。支持板５０とタッチパネル３０との間には防水用の両面テープ４０が貼り付けられる。タッチパネル３０は支持板５０に保持される。両面テープ４０は、タッチパネル３０と支持板５０との隙間から開口部５３を介して筐体２０内に水が浸入することを防止している。両面テープ４０は、支持板５０の形状に対応している。両面テープ４０は枠状であり、略矩形状の開口部４３を有している。支持板５０の開口部５３、両面テープ４０の開口部４３は、何れも液晶ディスプレイ７０の視認性を確保するために形成されている。
【００１２】
タッチパネル３０の上端部には、切欠部３５が形成されている。切欠部３５は、フロントケース２１の開口部２３の内縁と協働で、後述する開口部を画定する。
【００１３】
図２は、筐体２０にタッチパネル３０を取付ける前の携帯電話１の斜視図である。支持板５０の正面側には両面テープ４０が貼り付けられている。支持板５０には開口部５５が形成されている。開口部５５は、タッチパネル３０の切欠部３５とフロントケース２１の開口部２３の内縁と協働で画定した開口部から、レシーバに至るまでの経路部を画定する。経路部については詳しくは後述する。
【００１４】
図３は、筐体２０にタッチパネル３０を取付ける前の携帯電話１の正面図である。尚、図３には、タッチパネル３０を取付けた場合の切欠部３５を破線で示している。タッチパネル３０の切欠部３５と筐体２０の開口部２３とが上述した開口部ＯＰを画定する。開口部ＯＰはスリット状である。支持板５０には開口部ＯＰから支持板５０が視認されることを防止するシート５１が貼り付けられている。両面テープ４０は、開口部５５に沿った直線状部４５、直線状部４５に連続した切欠部４６、を含む。筐体２０の正面視で、切欠部４６は、直線状部４５の右下方側に連続している。
【００１５】
図４は、図３のＡ−Ａ断面図、図５は、図３のＢ−Ｂ断面図である。尚、図４、図５においては、タッチパネル３０が固定された筐体２０を示しており、筐体１０やその他一部の部材を省略してある。図４に示すように、支持板５０の開口部５５の背面側には、レシーバ６０が内蔵されている。レシーバ６０は、電気信号を音に変換して出力する。レシーバ６０は、通話者の音声を出力する。レシーバ６０は、フレキシブルプリント基板８１に実装されている。レシーバ６０は、フレキシブルプリント基板８１の配線パターンと電気的に接続されている。フレキシブルプリント基板８１の背面側にはフレキシブルプリント基板８１を押える押え板８３が配置されている。押え板８３は、金属製である。
【００１６】
レシーバ６０は、フレキシブルプリント基板８１に実装されたレシーバ本体６１、レシーバ本体６１の正面側に組み付けられた半ケース６３、半ケース６３の正面側に固定された緩衝部材６８、を含む。半ケース６３は金属製であり、緩衝部材６８はスポンジ性である。半ケース６３の中央部には開口部６５が形成されている。開口部６５は、シート６６により覆われている。シート６６は、合成樹脂製であり薄いシート状である。シート６６には、複数の微細孔が形成されている。このため、水はシート６６を通過しないが音は通過する。緩衝部材６８は、半ケース６３と支持板５０との間に挟まれ、レシーバ６０への衝撃を和らげる。
【００１７】
図４に示すように、レシーバ６０は開口部ＯＰの軸心からずれた位置に配置されている。換言すれば、レシーバ６０の中心軸と、開口部ＯＰの軸心とが一致していない。レシーバ６０の中心軸とは、レシーバ６０の中心を通過する軸である。
【００１８】
図４には、レシーバ６０から出力される音の経路Ｐを示している。経路Ｐは、レシーバ６０の開口部６５、シート６６を通過して、タッチパネル３０の背面と支持板５０との正面との間を通過し、開口部ＯＰに至る。経路Ｐは、タッチパネル３０、支持板５０、両面テープ４０により画定されている。上述したように開口部ＯＰは、開口部ＯＰの軸がレシーバ６０から離れた位置に設定されている。このため、経路Ｐは、一直線状ではなく、複数の直線を組み合わせた経路となる。尚、経路Ｐは湾曲していてもよい。このように、筐体２０は、開口部ＯＰ、開口部ＯＰ及びレシーバ６０間を連通させる経路Ｐを画定している。また、図４に示すように、両面テープ４０の直線状部４５は、支持板５０の開口部５５の外側に位置している。
【００１９】
図５に示すように、切欠部４６は、直線状部４５よりも下方側に位置している。両面テープ４０の切欠部４６、タッチパネル３０の背面、フロントケース２１の正面で囲まれた部分は貯留部Ｒとして機能する。貯留部Ｒは、タッチパネル３０と支持板５０と両面テープ４０の切欠部４６とにより画定される。貯留部Ｒは経路Ｐに連続しており、経路Ｐ内に浸入した水を溜める機能を有している。貯留部Ｒは経路Ｐから分岐した位置に形成されている。貯留部Ｒについては詳しくは後述する。
【００２０】
次に、経路Ｐ内に水が浸入した場合について説明する。
図６Ａ、６Ｂ、７Ａ、７Ｂは、経路Ｐ内に水が浸入した場合の説明図である。
まず、開口部ＯＰから水Ｗが浸入すると、図６Ａ、７Ａに示すように、経路Ｐに水Ｗが溜まる。このため、水Ｗは、レシーバ６０から出力される音の通過に影響を与え、音響特性に影響を与える。具体的には、レシーバ６０からの音が聞こえにくくなる。
【００２１】
しかしながら、携帯電話１に所定の操作をすることにより、図７Ａ、７Ｂに示すように、水Ｗは、経路Ｐから貯留部Ｒに流れ貯留部Ｒに溜められる。水Ｗが経路Ｐから退避することにより、音が通過するための経路Ｐが確保される。これにより、音響特性への影響が抑制される。
【００２２】
図８は、経路Ｐにある水Ｗを貯留部Ｒに移動させるための操作の説明図である。筐体１０に対して筐体２０をスライドさせた状態で、ユーザは筐体１０を持ち、筐体２０を矢印Ｒ１の方向に旋回させて停止させる。ここで矢印Ｒ１の方向とは、両面テープ４０の直線状部４５から切欠部４６への方向に沿った方向である。筐体２０を旋回させて停止させたことにより、水Ｗの一部分は開口部ＯＰから外部へ排出され、水Ｗの残りの部分は慣性力によって経路Ｐ内から貯留部Ｒへと移動する。この操作により、開口部ＯＰから筐体２０内に水が浸入した場合であっても、音響特性への影響を抑制することができる。尚、図８に示すように、筐体１０の背面側にはカメラ１９が設けられている。筐体２０の背面側には、筐体１０に対する筐体２０のスライドを実現するためのガイド溝２９が設けられている。
【００２３】
また、一般的に携帯電話１は、通話の際には鉛直方向に沿うような姿勢で使用される。従って、通話の際に開口部ＯＰの軸心は水平方向に沿うような筐体２０の姿勢であり、開口部ＯＰがレシーバ６０よりも鉛直上方側に位置するような姿勢で携帯電話１は使用される。このため、図４、５、７Ａ、７Ｂに示すように、このような携帯電話１の姿勢において、貯留部Ｒは経路Ｐよりも鉛直下方側、即ち斜め下側に位置する。これにより、携帯電話１で通話している時には、貯留部Ｒに溜まった水Ｗは、重力の作用により経路Ｐ側に流れることが抑制される。これにより、通話中においても水Ｗによる音響特性への影響が抑制される。
【００２４】
次に、本実施例の携帯電話とは構造が異なる携帯電話について説明する。
図９Ａ、９Ｂは、本実施例の携帯電話とは構造が異なる携帯電話の説明図である。携帯電話１ｘは、互いに相対移動可能に連結された筐体１０ｘ、２０ｘを有している。筐体１０ｘは、フロントケース１１ｘ、リアケース１２ｘを含む。筐体２０ｘは、フロントケース２１ｘ、リアケース２２ｘを含む。フロントケース２１ｘ側にはタッチパネル３０ｘが設けられている。タッチパネル３０ｘに孔部３５ｘが形成され、孔部３５ｘが開口部ＯＰｘを画定している。レシーバ６０ｘとタッチパネル３０ｘとの間には緩衝部材６８ｘが配置されている。レシーバ６０ｘはフレキシブルプリント基板８１ｘに実装されている。開口部ＯＰｘとレシーバ６０ｘとを連通する経路Ｐｘは、一直線状である。即ち、開口部ＯＰｘの軸心がレシーバ６０ｘの中心軸と略一致している。このように、開口部ＯＰｘの軸心と同軸上にレシーバ６０ｘが配置されるように、開口部ＯＰｘの位置が設定されている。これは、経路Ｐｘ内に浸入した水が容易に経路Ｐｘから排出できるようにするためである。しかしながら、開口部ＯＰｘの位置が、レシーバ６０ｘの位置に制限され、開口部ＯＰｘの位置設定の自由度が制限されている。本実施例の携帯電話のように、筐体２０内に貯留部Ｒを設けることにより、開口部ＯＰの位置の自由度が向上する。よって携帯電話１の筐体２０のデザインの自由度が向上する。
【００２５】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２６】
上記実施例においては、音及び電気信号の一方を他方に変換する変換部として、電気信号から音に変換するレシーバを例に説明した。しかしながら、音から電気信号に変換するマイクに対して上記構造を適用してもよい。
【００２７】
尚、上記実施例で説明した携帯電話１はスライド式であるが、開閉式であってもよい。
【符号の説明】
【００２８】
１０、２０  筐体
１１、２１  フロントケース
１２、２２  リアケース
３０  タッチパネル
４０  両面テープ
５０  支持板
６０  レシーバ（変換部）
ＯＰ  開口部
Ｐ  経路
Ｒ  貯留部
【図１】
0005440286.tif 000002
【図２】
0005440286.tif 000003
【図３】
0005440286.tif 000004
【図４】
0005440286.tif 000005
【図５】
0005440286.tif 000006
【図６】
0005440286.tif 000007
【図７】
0005440286.tif 000008
【図８】
0005440286.tif 000009
【図９】
0005440286.tif 000010